(57)【要約】【課題】低重心化を図りつつ、打球感の良いゴルフクラブヘッドを提供する。【解決手段】本発明は、トップ部２Ａ、ソール部２Ｂ、トウ部２Ｃ、ヒール２Ｄ部、バック部２Ｅ、及び、打球が成されるフェース部２Ｆを具備したヘッド本体２を有するアイアン型のゴルフクラブヘッドである。ヘッド本体２は、フェース部２Ｆとバック部２Ｅとの間に空隙部を有すると共に、空隙部に樹脂１０が充填されており、フェース部２Ｆは、トップ側の肉厚よりもソール側の肉厚が厚く、樹脂１０は、トップ側の肉厚よりもソール側の肉厚が薄くなるように充填されている。【選択図】  図４
2020116237.tif 000002
【特許請求の範囲】
【請求項１】
トップ部、ソール部、トウ部、ヒール部、バック部、及び、打球が成されるフェース部を具備したヘッド本体を有するアイアン型のゴルフクラブヘッドであって、
前記ヘッド本体は、前記フェース部とバック部との間に空隙部を有すると共に、前記空隙部に樹脂が充填されており、
前記フェース部は、トップ側の肉厚よりもソール側の肉厚が厚く、
前記樹脂は、トップ側の肉厚よりもソール側の肉厚が薄くなるように充填されている、
ことを特徴とするアイアン型のゴルフクラブヘッド。
【請求項２】
前記フェース部は、トウ側の肉厚よりもヒール側の肉厚が薄く、
前記樹脂は、トウ側の肉厚よりもヒール側の肉厚が厚くなるように充填されている、
ことを特徴とする請求項１に記載のアイアン型のゴルフクラブヘッド。
【請求項３】
前記フェース部は、前記ヘッド本体とは別体で、ヘッド本体に止着されて一体化される板状のフェース部材で構成されている、ことを特徴とする請求項１又は２に記載のアイアン型のゴルフクラブヘッド。
【請求項４】
前記フェース部、及び、前記空隙部に充填される樹脂は、トウ・ヒール方向、及び、トップ・ソール方向に向けて、段差なく面一状に肉厚変化している、ことを特徴とする請求項１から３のいずれか１項に記載のアイアン型のゴルフクラブヘッド。
【発明の詳細な説明】
【技術分野】
【０００１】
本発明はゴルフクラブに関し、詳細には、アイアン型ゴルフクラブに用いられるゴルフクラブヘッドに関する。
【背景技術】
【０００２】
従来、アイアン型のゴルフクラブヘッド（以下、ヘッドと称する）には、軟鉄材で一体化したもの、或いは、ヘッド本体とは別体のフェース部（フェース部材）をヘッド本体に対して接着、溶着、カシメなどによって一体化したものが知られている。このようなヘッドにおいて、打撃性能の向上が図れるように、例えば、特許文献１に開示されているように、前記フェース部とヘッド本体を構成するバック部との間に空隙部を形成し、この空隙部におもり（複合セラミックス）を密封したものが知られている。
【０００３】
また、例えば、非特許文献１に開示されているように、フェース部とヘッド本体との間に隙間を形成し、この隙間に振動吸収ポリマーを充填することで、フェース部（フェース部材）として高強度材を使用しつつ打感をマイルドにするヘッドも知られている。
【先行技術文献】
【特許文献】
【０００４】
【特許文献１】特開２０１８−９４１２５号
【非特許文献１】ブリヂストンスポーツ株式会社のホームページに掲載のアイアンクラブ（TOUR B JGR HF2）  https://www.bs-golf.com/bs-products/club/iron/jgr#hf2.html
【発明の概要】
【発明が解決しようとする課題】
【０００５】
上記したように、アイアン型のゴルフクラブのヘッドとして、フェース部の裏面側に空洞を形成し、この部分にセラミックスや樹脂を充填することが知られているが、これらの充填材料は、いずれもソール側の肉厚が厚くなるように充填されている。この場合、打球時の振動を吸収するために、非特許文献１に開示された構成のように、振動吸収ポリマーを充填すると、ソール側では比重の重い金属が減ってしまい、十分な低重心化が実現できない。すなわち、上記した公知のヘッドの構成では、打球感を向上しつつ、低重心化を図ることはできない。
【０００６】
また、アイアン型ゴルフクラブのヘッドのフェース部は、トウ側の上下高さがヒール側の上下高さよりも高い形状となっており、この形状により、トウ・ヒール方向で見ると、ヒール側はトウ側よりも撓み難い構造となっている。このため、充填する樹脂をソール側で肉厚にしただけでは、振動吸収のバランスが偏ってしまい、振動を効果的に緩和することはできない。
【０００７】
本発明は、上記した問題に基づいてなされたものであり、低重心化を図りつつ、打球感の良いゴルフクラブヘッドを提供することを目的とする。
【課題を解決するための手段】
【０００８】
上記した目的を達成するために、本発明は、トップ部、ソール部、トウ部、ヒール部、バック部、及び、打球が成されるフェース部を具備したヘッド本体を有するアイアン型のゴルフクラブヘッドであって、前記ヘッド本体は、前記フェース部とバック部との間に空隙部を有すると共に、前記空隙部に樹脂が充填されており、前記フェース部は、トップ側の肉厚よりもソール側の肉厚が厚く、前記樹脂は、トップ側の肉厚よりもソール側の肉厚が薄くなるように充填されていることを特徴とする。
【０００９】
上記した構成のゴルフクラブヘッドでは、フェース部とバック部との間の空隙部に樹脂が充填されることで、フェース部で打球した際の振動が抑制されて、打球感の向上が図れる。この場合、前記フェース部は、トップ側の肉厚よりもソール側の肉厚が厚く、前記樹脂は、トップ側の肉厚よりもソール側の肉厚が薄くなるように充填されるため、ソール側が軽くなることはなく、振動吸収効果を維持したままヘッドの低重心化が図れる。また、フェース部は、ソール側の肉厚が厚くなっているため、打球時におけるフェース部の振動は、ソール側よりもトップ側が大きくなるが、この部分に配設される樹脂は、ソール側よりも肉厚が厚いことから、振動吸収効果が高くなる。すなわち、フェース面を通じて、振動吸収のバランスが向上し、振動を効果的に緩和することが可能となる。
【００１０】
なお、フェース部は、トップ・ソール方向で見た場合、相対的にソール側が厚肉化されており、かつ、空隙部に充填される樹脂についても、トップ・ソール方向で見た場合、相対的にソール側が薄肉化されていれば良く、トップ部からソール部に至る領域は、段階的に肉厚変化しても良いし、連続的に肉厚変化（テーパ状に肉厚変化）していても良い。すなわち、厚肉領域と薄肉領域が段差によって区分けされていても良いし、厚肉領域から薄肉領域に至るまで、次第に肉厚変化するような構成（表面が面一状）であっても良い。
【発明の効果】
【００１１】
本発明によれば、低重心化を図りつつ、打球感の良いゴルフクラブヘッドが得られる。
【図面の簡単な説明】
【００１２】
【図１】本発明のゴルフクラブヘッド（アイアン型のヘッド）の第１の実施形態を示す正面図。
【図２】図１で示すヘッドの組立状態を示す図。
【図３】図２のＣ−Ｃ線に沿った断面図。
【図４】図１のＡ−Ａ線に沿った断面図。
【図５】図１のＢ−Ｂ線に沿った断面図。
【図６】フェース部材の肉厚分布状況を示す図。
【図７】（ａ）は空隙部に充填される樹脂の肉厚分布状況を示す図、（ｂ）は実際の肉厚の一例を示す図。
【発明を実施するための形態】
【００１３】
以下、添付図面を参照して本発明に係るゴルフクラブヘッドの実施形態について説明する。
図１から図５は、本発明に係るアイアン型のゴルフクラブに装着されるヘッドの一例を示す図であり、図１は正面図、図２は図１で示すヘッドの組立状態を示す図、図３は図２のＣ−Ｃ線に沿った断面図、図４は図１のＡ−Ａ線に沿った断面図、そして、図５は図１のＢ−Ｂ線に沿った断面図である。
【００１４】
本実施形態に係るヘッド１は、アイアンクラブに装着される構成となっており、ヘッドを構成するヘッド本体２は、トップ部２Ａ、ソール部２Ｂ、トウ部２Ｃ、ヒール部２Ｄ、バック部２Ｅ、及び、打球が成されるフェース部２Ｆを具備した構成となっている。ヘッド本体２には、シャフト（図示せず）の先端が挿入されて止着されるホーゼル３がヒール側に形成されており、本実施形態では、ヘッド本体２の前面に、ヘッド本体２とは別体として形成された板状のフェース部材２０が止着されることで、前記フェース部２Ｆを構成している。
【００１５】
前記ヘッド本体２およびフェース部材２０の構成材料については特に限定されることはないが、例えば、チタン、チタン合金、ステンレス鋼、炭素鋼、タングステン、タングステン合金等の金属材料を用いて鋳造、鍛造などによって一体形成することが可能である。この場合、ヘッド本体２を構成する構成体、具体的には、トップ部２Ａ、ソール部２Ｂ、トウ部２Ｃ、ヒール部２Ｄ、バック部２Ｅ、及び、フェース部２Ｆについては、いずれかの部分を一体的に鋳造又は鍛造によって形成し、それ以外の部分についても、一体的に鋳造又は鍛造によって形成し、両者を一体化したものであっても良い。
【００１６】
本実施形態では、トップ部２Ａ、ソール部２Ｂ、トウ部２Ｃ、ヒール部２Ｄ及びバック部２Ｅを鋳造又は鍛造によって一体形成しており、この一体化された構成体に対して、別体として形成された板状のフェース部材２０（フェース部２Ｆ）を溶接することでヘッド本体を構成している。すなわち、打球がされる部分については、その構成材料を最適なものにするようにしている。
なお、前記バック部２Ｅは、トップ部２Ａ、ソール部２Ｂ、トウ部２Ｃ、ヒール部２Ｄで囲まれた部分の後方側で、フェース側に開口する凹所（空隙部）５を有するように形成されている。この凹所５は、止着されるフェース部材２０を圧入させる大きさに形成されており、凹所５の内部の周囲には、フェース部材２０の裏側周縁部を載置する段部（フェース部材を受ける受け部）５ａが形成されている。この段部５ａは、フェース部材２０の肉厚と略同じ深さとなっており、その段部５ａの周囲には、段部に沿うようにリブ６が形成されている。
【００１７】
前記リブ６は、フェース部材２０を凹所５内に圧入し、その周縁部が段部５ａに載置された状態で溶接によって溶融される部分であり、これによりフェース部材２０は、ヘッド本体を構成するトップ部２Ａ、ソール部２Ｂ、トウ部２Ｃ、ヒール部２Ｄの前面と面一状に止着される。フェース部材２０がヘッド本体に止着されると、図３に示すように、前記バック部２Ｅとフェース部材２０（フェース部２Ｆ）との間には空隙部Ｓが形成される。
【００１８】
前記一体形成されるヘッド本体のバック部２Ｅには、開口２ａが形成されており、フェース部材２０が止着された状態で、開口２ａを介して振動吸収材１０が充填可能となっている。この振動吸収材１０は、打球時にフェース部材２０に伝わる振動を吸収するものであれば良く、例えば、ナイロン、ポリエステル、アクリル、ウレタン、合成ゴム等のポリマー系の樹脂によって構成される。振動吸収材（以下、樹脂と称する）１０は、前記開口２ａを介して空隙部Ｓ内に隙間なく充填され、充填された後は、バック部２Ｅに銘板等の封孔部材を止着することで開口２ａは閉塞される。また、開口２ａは、１つ以上形成されていれば良く、複数個所形成することで空隙部Ｓに隙間なく樹脂を充填することが容易に行なえる。
【００１９】
本実施形態の前記バック部２Ｅには、後面側に凹所２ｂが形成されており、ヘッドとして、いわゆるキャビティ構造となっているが、このような凹所を形成することなく、バック部はフラット状に形成されていても良い。
【００２０】
前記トップ部２Ａ、ソール部２Ｂ、トウ部２Ｃ及びヒール部２Ｄは、それぞれフェース・バック方向に向けて所定の肉厚を有しており、ソール部２Ｂについては、他の部位よりもフェース・バック方向の厚さを厚肉化して低重心化を図っている。前記トップ部２Ａ、ソール部２Ｂ、トウ部２Ｃ及びヒール部２Ｄの前面側は、水平面に対して所定角度傾斜するように形成されており、フェース部材２０を番手に応じて所定のロフト角で止着するように構成されている。なお、ソール部２Ｂの部分については、低重心化が図れるように、他の構成体よりも高比重の材料によって形成しても良いし、別途、重量体を止着しても良い。
【００２１】
上記したように構成されるヘッド本体２のフェース部２Ｆ（フェース部材２０）、及び、空隙部Ｓに充填される樹脂１０の構成について、図４及び図５に加え、図６及び図７を参照して説明する。なお、図６は、フェース部材２０の肉厚分布状況を示す図であり、図７（ａ）は空隙部Ｓに充填される樹脂の肉厚分布状況を示す図、図７（ｂ）は充填される樹脂の実際の肉厚の一例を示す図である。
【００２２】
アイアンクラブのヘッドのフェース部は、トップ・ソール方向の高さに関し、トウ側が高くヒール側が低い形状となっており、ヒール側が撓み難い形状となっている。このため、フェース部の撓みバランスを考慮した場合、フェース部２Ｆの肉厚については、図６に示すように、トウ・ヒール方向で見た場合、トウ側を厚くヒール側を薄くして、良好な撓みバランスとなるように形成している。
【００２３】
肉厚の変化の仕方については、トウ・ヒール方向で見た場合、トウ側が厚く、ヒール側が薄くなっていれば良く（図５に示すようにトウ側の肉厚Ｔ１＞ヒール側の肉厚Ｔ２）、その肉厚の変化の仕方については、段階的に変化させても良いし、テーパ状（面一状）に変化させても良い。ただし、フェース部内における振動の伝搬を考慮すると、肉厚変化の仕方については、肉厚の急激な変化によって振動の伝搬に変曲部が生じないように、テーパ状に変化させることが好ましい。また、肉厚については、フェース部の中心点をトップ・ソール方向に通る中心線を考慮した場合、相対的にトウ側が厚く、ヒール側が薄くなっていれば良く、極所的に偏肉部が存在していても良い。
【００２４】
一方、フェース形状をトップ・ソール方向で見ると、トップ側の横幅と、ソール側の横幅は略等しいことから、撓みバランスよりも低重心化が図れるように、フェース部２Ｆの肉厚については、図６に示すように、トップ・ソール方向で見た場合、トップ側を薄くソール側を厚くしている。
【００２５】
肉厚の変化の仕方については、トップ・ソール方向で見た場合、トップ側が薄く、ソール側が厚くなっていれば良く（図４に示すようにトップ側の肉厚Ｔ３＜ソール側の肉厚Ｔ４）、その肉厚の変化の仕方については、段階的に変化させても良いしテーパ状（面一状）に変化させても良い。ただし、上記したトウ・ヒール方向と同様、フェース部内における振動の伝搬を考慮すると、肉厚変化の仕方については、肉厚の急激な変化によって振動の伝搬に変曲部が生じないように、テーパ状に変化させることが好ましい。また、肉厚については、フェース部の中心点をトウ・ヒール方向に通る中心線を考慮した場合、相対的にソール側が厚く、トップ側が薄くなっていれば良く、極所的に偏肉部が存在していても良い。
【００２６】
そして、上記したようなフェース部２Ｆの肉厚分布構造では、打球時の衝撃によって、薄肉化されている部分は振動し易く、厚肉化されている部分は振動し難いことから、空洞部Ｓに充填される樹脂１０については、その肉厚関係が、図７（ａ）に示すように、フェース部２Ｆの肉厚とは逆の関係となるように構成されている。すなわち、空隙部Ｓに充填される樹脂１０については、トウ・ヒール方向で見た場合、トウ側が薄く、ヒール側が厚くなっており、トップ・ソール方向で見た場合、トップ側が厚く、ソール側が薄くなっている。
【００２７】
したがって、上記したように肉厚変化するフェース部材２０の形状に加え、ヘッド本体の凹所５の底面５ｂの表面形状についても、充填される樹脂１０が、図７（ａ）に示すような肉厚変化状況となるように形成されている。
【００２８】
なお、本実施形態における空隙部Ｓに充填される樹脂１０は、一例として図７（ｂ）に示すような厚さで肉厚変化させている。図７（ｂ）では、トウ側のトップ・ソール方向で４箇所、中央のトップ・ソール方向で４箇所、ヒール側のトップ・ソール方向で３箇所の肉厚状況を示している。この場合、充填される樹脂１０は、トップ・ソール方向で見て、トップ側領域１０Ａ、中央領域１０Ｂ、ソール側領域１０Ｃの３つの領域の偏肉構造（３つの領域間で段差が生じて肉厚が大きく変化する偏肉構造）を備えており、実際に対応する領域のそれぞれの肉厚については、図７（ｂ）の数値で示すように、トップ・ソール方向で見ると、トップ側よりもソール側が薄く（トップ側領域１０Ａよりもソール側領域１０Ｃの方の肉厚が薄い）、トウ・ヒール方向で見て、トウ側よりもヒール側が厚くなるように充填されている。また、これに伴い、フェース部２Ｆの肉厚については、逆に、トップ・ソール方向で見て、トップ側よりもソール側が厚く、トウ・ヒール方向で見て、トウ側よりもヒール側が薄くなるように形成されている。
【００２９】
上記した構成のゴルフクラブヘッドでは、フェース部２Ｆとバック部２Ｅとの間に空隙部Ｓを設け、この部分に樹脂１０が充填されることで、フェース部２Ｆで打球した際の振動が抑制されて、打球感の向上が図れるようになる。そして、前記フェース部２Ｆは、トップ側の肉厚よりもソール側の肉厚が厚く、充填される樹脂１０は、トップ側の肉厚よりもソール側の肉厚が薄くなるように充填されるため、ソール側が軽くなることはなく、振動吸収効果を維持したままヘッドの低重心化を図ることが可能となる。また、フェース部２Ｆは、ソール側の肉厚が厚く、トップ側が薄くなっているため、打球時の衝撃による撓みは、トップ側が大きくなって、フェース部の振動はソール側よりもトップ側が大きくなるが、トップ側に配設される樹脂１０は、ソール側よりも肉厚が厚いことから、振動吸収効果が高くなる。
【００３０】
この場合、本実施形態では、フェース部２Ｆの撓みバランスを向上するように、トウ・ヒール方向においても、フェース部２Ｆは、トウ側の肉厚よりもヒール側の肉厚を薄く形成し、充填される樹脂１０は、トウ側の肉厚よりもヒール側の肉厚が厚くなるようにしている。すなわち、トウ・ヒール方向を考慮した場合、フェース部２Ｆは、薄肉厚となったヒール側で振動が高くなる傾向となるが、この部分に充填される樹脂の肉厚を、トウ側よりも厚くしたことで、振動吸収効果が高くなる。
【００３１】
すなわち、本実施形態の構成によれば、フェース部２Ｆ及び充填される樹脂１０について、トップ・ソール方向、及び、トウ・ヒール方向について、上記したような肉厚変化をさせたことで、フェース部全体を通じて、振動吸収のバランスが向上し（フェース部全体で平準化される）、振動を効果的に緩和することが可能となる。
【００３２】
なお、フェース部の肉厚、及び、充填される樹脂の肉厚は、トップ・ソール方向のみで変化させる構成であっても良い。このような構成であっても、低重心化が図れると共に、振動の抑制効果及び振動バランスの向上が図れる。また、バック部２Ｅに関し、フェース部２Ｆと同じように肉厚変化させても良い。このように構成することで、効果的に低重心化が図れるようなる。
【００３３】
以上、本発明の実施形態について説明したが、本発明は、上記した実施形態に限定されることはなく、種々、変形することが可能である。トップ・ソール方向の肉厚、及び、トウ・ヒール方向の肉厚については、両側での肉厚が相対的に変化した状態にあれば良く、その中間領域において、部分的に厚肉化されていたり、薄肉厚化されていても良い。例えば、フェース部の裏面の中央領域にリブや凹所を形成して極所的に厚さ変化させる構成であっても良く、このような構成では、フェース部の肉厚がリブの部分で厚く（薄く）なり、それに応じてその位置の樹脂が部分的に薄く（厚く）なるような構造であっても良い。
また、本発明は、ヘッドの形状や各構成体（トップ部、ソール部、トウ部、ヒール部、バック部、フェース部）同士の止着位置や止着方法については限定されることはない。例えば、トップ部、ソール部、トウ部、ヒール部、フェース部を一体成形しておき、その裏面側に、空隙部を設けてバック部を止着するような構造であっても良い。また、空隙部に対して樹脂を注入する位置についても適宜変形することが可能である。さらに、フェース部材については、板状以外にも、Ｌ字形にしたり、カップ状に形成する等、適宜変形することが可能である。
【符号の説明】
【００３４】
１  ヘッド
２  ヘッド本体
２Ａ  トップ部
２Ｂ  ソール部
２Ｃ  トウ部
２Ｄ  ヒール部
２Ｅ  バック部
２Ｆ  フェース部
５  凹所
１０  樹脂
２０  フェース部材
Ｓ  空隙部
【図１】
2020116237.tif 000003
【図２】
2020116237.tif 000004
【図３】
2020116237.tif 000005
【図４】
2020116237.tif 000006
【図５】
2020116237.tif 000007
【図６】
2020116237.tif 000008
【図７】
2020116237.tif 000009